(57)【要約】      （修正有）【課題】構造が簡単で、専用金型で製造が可能で、弾性ゴム、鉛又は錫の筒状部材への加硫接着、圧入が容易な構造物用制振ダンパーを提供することを目的とする。【解決手段】一方の構造体に固定される筒状部材２と、他方の構造体に固定され、筒状部材２との間で相対変位可能に配置されロッド部材３を備え、筒状部材２を複数の単位筒状体４で構成し、単位筒状体４毎に内壁にロッド部材３を挿通する穴を形成したリング状の弾塑性ゴム、鉛又は錫からなる地震エネルギー吸収材５の外周部を固定し、リング状の地震エネルギー吸収材５の内壁にロッド部材３が挿通され、相対変位を地震エネルギー吸収材に伝達する中空パイプを配置し、単位筒状体４の外周端部に雄ねじ部を形成し単位筒状体４に雌ねじ部を形成した連結リング９で連結して筒状部材２とし、筒状部材２とロッド部材３の相対変位で地震エネルギーを吸収することを特徴とする。【選択図】図３
2017078434.tif 000002
【特許請求の範囲】
【請求項１】
地震時に相対変位する一方の構造体に固定される筒状部材と、
他方の構造体に固定され、前記筒状部材の開口から内部に伸び、前記筒状部材との間で相対変位可能に配置されたロッド部材と、
を備え、
前記筒状部材を複数の単位筒状体で構成し、前記単位筒状体毎にその内壁に前記ロッド部材を挿通する穴を形成したリング状の弾塑性ゴム、鉛又は錫からなる地震エネルギー吸収材の内の少なくとも１つの外周部を固定し、前記リング状の地震エネルギー吸収材の内壁に前記ロッド部材が挿通可能で、地震時の相対変位を地震エネルギー吸収材に伝達する中空パイプを配置し、前記複数の単位筒状体の外周端部に雄ねじ部を形成し単位筒状体を雌ねじ部を形成した連結リングで連結して筒状部材とし、前記筒状部材と前記ロッド部材の地震時の相対変位を前記地震エネルギー吸収材に作用させて地震エネルギーを吸収することを特徴とする構造物用制振ダンパー。
【請求項２】
異なる種類の地震エネルギー吸収材を配置した単位筒状体を連結して筒状部材を構成することを特徴とする請求項１に記載の構造物用制振ダンパー。
【請求項３】
単位筒状体に配置される地震エネルギー吸収材としての弾塑性ゴムの硬度を必要に応じて異なるように設定することを特徴とする請求項１又は２に記載の構造物用制振ダンパー。
【請求項４】
前記単位筒状体に配置される弾塑性ゴムを仕切りパイプを介して多層積層構造とすることを特徴とする請求項１ないし３のいずれか１項に記載の構造物用制振ダンパー。
【請求項５】
前記鉛又は錫をリング状として前記中空パイプに嵌挿し、前記リング状の鉛又は錫の相対変位方向の両側に接する変位伝達プレートを前記中空パイプに固定して配置することを特徴とする請求項１ないし４のいずれか１項に記載の構造物用制振ダンパー。
【請求項６】
前記変位伝達プレートを応力による変形度が前記鉛又は錫と同程度の金属又は樹脂で形成することを特徴とする請求項５に記載の構造物用制振ダンパー。
【発明の詳細な説明】
【技術分野】
【０００１】
本発明は、建築物や橋梁等の構造物の地震時の振動を抑制する構造物用制振ダンパーに関する。
【背景技術】
【０００２】
構造物用制振ダンパーとしてオイルダンパー、エアーダンパーや粘弾性ダンパー、弾性ゴムダンパーが知られている。
【先行技術文献】
【特許文献】
【０００３】
【特許文献１】特許第２５４１０７３号公報
【特許文献２】特許第２５６６８３３号公報
【発明の概要】
【発明が解決しようとする課題】
【０００４】
オイルダンパーやエアーダンパーは、温度依存性がなく、高速時のエネルギー吸収性に優れ、繰り返しの変形に強いという利点を有するが、低速時の性能が低く、密閉性が必要で、液漏れが発生しやすいという問題がある。また、オイルダンパーやエアーダンパーは，シリンダー内部を密閉するために，シリンダー先端の蓋に設けた穴の内周部とロッド外周部の間で，シール材等を用いて密閉しまた滑動可能としている。ダンパーの外部に露出したピストンロッドの外周部には，外気によって錆びが生じやすい。ロッドの外周部表面に錆びによって凸凹が生じた場合には，密閉および滑動の役割を担うシール材が，ロッド外周部の凸凹によって容易に削られて破損する。その結果，ダンパーの密閉性が失われる。この障害を取り除くために，従来のダンパーではロッド外周部の錆を，定期的に除去するメンテナンスが必要となるという問題を有する。
【０００５】
粘弾性ダンパー等の弾性体の変形による振動吸収機能を有する制振ダンパーは、構造が簡単でメンテナンスも容易であるという利点を有する。  弾塑性ゴムの弾塑性変形によるダンパーは、ゴムの組成を変えることにより性能を変化することができ、繰り返し変形に強いという利点を有する。
【０００６】
しかしながら、弾性ゴムによるエネルギー吸収効率を向上するためには、筒状部材の長さを長くすると共に、筒状部材の内壁に固定される弾塑性ゴムの長さも長くする必要がある。長さの長い弾塑性ゴムを筒状部材の内壁に固着するために加硫接着が実施されるが弾性ゴムと筒状部材との接着性にばらつきが生じるという問題が発生する。また、異なるバリエーションのダンパーを製造する場合、それぞれのサイズに応じた金型が必要になるという問題を有する。
【０００７】
本発明は、従来技術の持つ問題を解決する、構造が簡単で、専用金型で製造が可能で、弾塑性ゴム、鉛又は錫からなる地震エネルギー吸収材の筒状部材への加硫接着、圧入が容易で、必要とする地震エネルギー吸収性能を有する制振ダンパーを製造することが可能な構造物用制振ダンパーを提供することを目的とする。
【課題を解決するための手段】
【０００８】
本発明の構造物用制振ダンパーは、前記課題を解決するために、地震時に相対変位する一方の構造体に固定される筒状部材と、他方の構造体に固定され、前記筒状部材の開口から内部に伸び、前記筒状部材との間で相対変位可能に配置されたロッド部材と、を備え、前記筒状部材を複数の単位筒状体で構成し、前記単位筒状体毎にその内壁に前記ロッド部材を挿通する穴を形成したリング状の弾塑性ゴム、鉛又は錫からなる地震エネルギー吸収材の内の少なくとも１つの外周部を固定し、前記リング状の地震エネルギー吸収材の内壁に前記ロッド部材が挿通可能で、地震時の相対変位を地震エネルギー吸収材に伝達する中空パイプを配置し、前記複数の単位筒状体の外周端部に雄ねじ部を形成し単位筒状体を雌ねじ部を形成した連結リングで連結して筒状部材とし、前記筒状部材と前記ロッド部材の地震時の相対変位を前記地震エネルギー吸収材に作用させて地震エネルギーを吸収することを特徴とする。
【０００９】
また、本発明の構造物用制振ダンパーは、異なる種類の地震エネルギー吸収材を配置した単位筒状体を連結して筒状部材を構成することを特徴とする。
【００１０】
また、本発明の構造物用制振ダンパーは、単位筒状体に配置される地震エネルギー吸収材としての弾塑性ゴムの硬度を必要に応じて異なるように設定することを特徴とする。
【００１１】
また、本発明の構造物用制振ダンパーは、前記単位筒状体に配置される弾塑性ゴムを仕切りパイプを介して多層積層構造とすることを特徴とする。
【００１２】
また、本発明の構造物用制振ダンパーは、前記鉛又は錫をリング状として前記中空パイプに嵌挿し、前記リング状の鉛又は錫の相対変位方向の両側に接する変位伝達プレートを前記中空パイプに固定して配置することを特徴とする。
【００１３】
また、本発明の構造物用制振ダンパーは、前記変位伝達プレートを応力による変形度が前記鉛又は錫と同程度の金属又は樹脂で形成することを特徴とする。
【発明の効果】
【００１４】
地震時に相対変位する一方の構造体に固定される筒状部材と、他方の構造体に固定され、前記筒状部材の開口から内部に伸び、前記筒状部材との間で相対変位可能に配置されたロッド部材と、を備え、前記筒状部材を複数の単位筒状体で構成し、前記単位筒状体毎にその内壁に前記ロッド部材を挿通する穴を形成したリング状の弾塑性ゴム、鉛又は錫からなる地震エネルギー吸収材の内の少なくとも１つの外周部を固定し、前記リング状の地震エネルギー吸収材の内壁に前記ロッド部材が挿通可能で、地震時の相対変位を地震エネルギー吸収材に伝達する中空パイプを配置し、前記複数の単位筒状体の外周端部に雄ねじ部を形成し単位筒状体を雌ねじ部を形成した連結リングで連結して筒状部材とし、前記筒状部材と前記ロッド部材の地震時の相対変位を前記地震エネルギー吸収材に作用させて地震エネルギーを吸収することで、長さの短い単位筒状体を専用金型で製作することができ安価で品質のばらつきの少ないダンパーを製造することが可能となる。また、短い単位筒状体への地震エネルギー吸収材の配置が長い筒状部材に比較し極めて容易とすることが可能となる。地震エネルギー吸収材を配置した単位筒状体がユニット化されているので必要に応じたバリエーションのダンパーを安価に且つ容易に製作することが可能となる。中空パイプを配置することで、ロッド部材の相対移動が確保され、確実に地震時の相対変位を地震エネルギー吸収材に伝達することが可能となる。
異なる種類の地震エネルギー吸収材を配置した単位筒状体を連結して筒状部材を構成することで、地震エネルギー吸収材を配置した単位筒状体がユニット化されているため、剛性を求める弾性ゴムダンパーと減衰性を求める鉛ダンパーというように求める機能に応じて種類の異なるダンパーの組み合わせが可能となる。
単位筒状体に配置される地震エネルギー吸収材としての弾塑性ゴムの硬度を必要に応じて異なるように設定することで、多層の弾性ゴムのそれぞれの変形形状を同一に近づけ、且つ、中空パイプと弾塑性ゴムとの加硫接着部の剥離を防止することが可能となる。
単位筒状体に配置される弾塑性ゴムを仕切りパイプを介して多層積層構造とすることで、大きな変位による弾塑性ゴムのひずみ量を低減することが可能となる。
鉛又は錫をリング状として前記中空パイプに嵌挿し、前記リング状の鉛又は錫の相対変位方向の両側に接する変位伝達プレートを前記中空パイプに固定して配置することで、地震時の変位を中空パイプに固定された変位伝達プレートを介して確実に鉛又は錫に伝達し地震エネルギーを吸収することが可能となる。
変位伝達プレートを応力による変形度が鉛又は錫と同程度の金属又は樹脂で形成することで、鉛又は錫の繰り返し変形による変形形状をほぼ同一とすることで安定した地震エネルギー吸収性能を維持することが可能となる。
【図面の簡単な説明】
【００１５】
【図１】本発明の実施形態を示す図である。
【図２】本発明の実施形態を示す図である。
【図３】本発明の実施形態を示す図である。
【図４】（ａ）（ｂ）本発明の実施形態を示す図である。
【図５】（ａ）（ｂ）本発明の実施形態を示す図である。
【図６】（ａ）（ｂ）本発明の実施形態を示す図である。９を螺着
【図７】（ａ）（ｂ）本発明の実施形態を示す図である。
【発明を実施するための形態】
【００１６】
本発明の構造物用制振ダンパーの実施の形態を図により説明する。図１、図２、図３により、本発明の構造物用制振ダンパーの一実施形態を説明する。
【００１７】
構造物用制振ダンパー１は、建築物や橋梁等の構造物の一方の構造体に連結される筒状部材２と、他方の構造体に連結するロッド部材３を備えている。図２に示されるようにロッド部材３の両端外周には雄ねじ部３ａが形成される。
【００１８】
筒状部材２は、複数の単位筒状体４を連結して構成される。単位筒状体４は断面円形で同一径、同一長さの部材として形成されるため専用金型で成形が可能であるため安価に製造することが可能である。単位筒状体４の端部外周には連結用の雄ねじ部４ａが形成される。
【００１９】
単位筒状体４の内部に地震エネルギー吸収材５として、リング状の弾性ゴム６、リング状の鉛又は錫７、リング状の弾性ゴム６とリング状の鉛又は錫７の少なくともいずれかを配置する。リング状の地震エネルギー吸収材５の内側にロッド部材３が挿通可能な中空パイプ８を配置する。地震エネルギー吸収材がリング状の弾性ゴム６の場合、加硫接着により単位筒状体４、弾塑性ゴム５、中空パイプ８を一体化する。
【００２０】
中空パイプ８は、地震による相対変位を地震エネルギー吸収材５に伝達する機能と、地震エネルギー吸収材５の地震による内側への変形を抑制する機能と、ロッド部材３の相対変位を確保する機能を有する。
【００２１】
図３に示されるように、内側に雌ねじ部を形成した連結リング９を単位筒状体４の端部外周に形成した雄ねじ部４ａに螺着し、複数の単位筒状体４を一体に連結し筒状部材２を形成する。相対変位する他方の構造体に連結されるロッド部材３を、複数の単位筒状体４を連結して形成される筒状部材２の中空パイプ８に挿入する。ロッド部材３の他方の構造体側の雄ねじ部３ａに中空パイプ８の端面と接するようにナット１０を螺着する。さらに、ロッド部材３の雄ねじ部３ａにカプラー１１を螺着し、カプラー１１に他方の構造体に連結するための取付部材１２を螺着する。
【００２２】
一方の構造体側の単位筒状体４には、リング状の地震エネルギー吸収材５が単位筒状体４に空間部が形成されるように配置される。ロッド部材３の一方の構造体側の端部は、一方の構造体側の単位筒状体４内に形成された空間部に位置する。ロッド部材３の一方の構造体側の雄ねじ部３ａに中空パイプ８の端面と接するようにナット１３を螺着する。一方の構造部側の単位筒状体４と一方の構造体に連結するための取付部材１４を連結リング９を螺着して連結する。
【００２３】
図４（ａ）（ｂ）は、単位筒状体４内に地震エネルギー吸収材５としてリング状弾性ゴム６を配置した実施形態を示す。リング状の弾性ゴム６と中空パイプ８の外周、単位筒状体４の内周を加硫接着により一体にする。
【００２４】
弾性ゴム６の硬度を他の地震エネルギー吸収材５を配置した単位筒状体４との組み合わせに応じて異なるように設定しても良い。弾性ゴム６として高減衰性ゴムを用いると地震エネルギーの吸収効率が向上する。地震時の変位は中空パイプ８を介して弾性ゴム６に伝達され、弾性ゴム６が弾性変形して地震エネルギーを吸収する。
【００２５】
図５（ａ）（ｂ）は、単位筒状体４の内部にエネルギー吸収材５としてのリング状の鉛又は錫７を配置した実施形態を示す図である。単位筒状体４にリング状の鉛又は錫７を配置する場合、単位筒状体４を鉛又は錫７を囲む容器構造とする。リング状の鉛又は錫７の内周に接する中空パイプ８の外周には、リング状の鉛又は錫７の相対変位方向の両端面に接する半径方向の外側に伸びるリング状の変位伝達プレート８ａが固定される。変位伝達プレート８ａの中空パイプ８への固定は、溶接又は中空パイプ８に形成した環状溝への嵌合等の手段による。
【００２６】
地震時の変位は中空パイプ８に固定された変位伝達プレート６ａから鉛又は錫７に伝達され、鉛又は錫７がせん断変形して地震エネルギーを吸収する。変位伝達プレート８ａの応力による変形度が鉛又は錫と同程度の金属又は樹脂で形成することで、鉛又は錫の繰り返し変形による変形形状をほぼ同一とし安定した地震エネルギー吸収性能を維持することが可能となる。
【００２７】
図６（ａ）（ｂ）は、単位筒状体４の内部にエネルギー吸収材５として、リング状の弾塑性ゴム６とリング状の鉛又は錫７を配置した実施形態を示す図である。弾性ゴム６は加硫接着により配置される。リング状の鉛又は錫７の内周に接する中空パイプ８の外周には、リング状の鉛又は錫７の相対変位方向の両端面に接する半径方向の外側に伸びるリング状の変位伝達プレート８ａが固定される。変位伝達プレート８ａの中空パイプ８への固定は、溶接又は中空パイプ６に形成した環状溝への嵌合等の手段による。
【００２８】
図７（ａ）（ｂ）は、単位筒状体４の内部に地震エネルギー吸収材５としてリング状の弾性ゴム６を配置した他の実施形態を示す図である。この実施形態ではリング状の弾性ゴム６の間に仕切りパイプ１５を配置し、弾性ゴム６を多層積層構造としたものである。図に示される実施形態では、仕切りパイプ１５は１本であるが、複数の仕切りパイプ１５を配置しても良い。多層積層構造の弾性ゴム５の中空パイプ６が固定され、地震時の変位を多層積層構造の弾性ゴム５に伝達し、地震エネルギーを吸収する。弾性ゴム６を多層積層構造とすることにより、弾性ゴム６の地震の変位によるひずみ量を調整することが可能となり、且つ、弾性ゴム６と中空パイプ８との間の接着剥がれを防止することが可能となる。
【００２９】
以上のように本発明の構造物用制振ダンパーによれば、長さの短い単位筒状体を専用金型で製作することができ安価で品質のばらつきの少ないダンパーを製造することが可能となる。また、短い単位筒状体への地震エネルギー吸収材の配置が長い筒状部材に比較し極めて容易とすることが可能となる。地震エネルギー吸収材を配置した単位筒状体がユニット化されているので必要に応じたバリエーションのダンパーを安価に且つ容易に製作することが可能となる。
【符号の説明】
【００３０】
１：構造物用制振ダンパー、２：筒状部材、３：ロッド部材、３ａ：雄ねじ、４：単位筒状体、４ａ：雄ねじ部、５：地震エネルギー吸収材、６：弾性ゴム、７：鉛又は錫、８：中空パイプ、８ａ：変位伝達プレート、９：連結リング、１０：ナット、１１：カプラー、１２：取付部材、１３：ナット、１４：取付部材、１５：仕切りパイプ
【図１】
2017078434.tif 000003
【図２】
2017078434.tif 000004
【図３】
2017078434.tif 000005
【図４】
2017078434.tif 000006
【図５】
2017078434.tif 000007
【図６】
2017078434.tif 000008
【図７】
2017078434.tif 000009